(57)【特許請求の範囲】
【請求項１】
券銭投入口から投入された券と硬貨とを分離する券銭分離装置であって、共に同じ角度だけ傾斜しわずかな間隔だけ隔てて対向し硬貨を傾斜に沿って滑落させ、かつ互いに協働して券を巻き込む方向に回転する一対の傾斜ローラを備え、これら一対の傾斜ローラ間を接離自在とし、前記傾斜ローラから正規硬貨の径よりもわずかに大きい間隔だけ離間して傾斜ローラの上方に、周方向の複数箇所に券戻し子が植設され傾斜ローラ上の硬貨の滑落方向と反対方向に回転するブラシローラを設けたことを特徴とする券銭分離装置。
【請求項２】
請求項１記載の券銭分離装置において、前記券戻し子の位置を、前記傾斜ローラが対向した位置からずらして位置付けたことを特徴とする券銭分離装置。
【請求項３】
請求項１記載の券銭分離装置において、前記券戻し子の長さを、前記傾斜ローラの周面までの距離よりも長く形成し、かつ一対の傾斜ローラの対向部位までの長さよりも短く形成したことを特徴とする券銭分離装置。
【発明の詳細な説明】
【０００１】
【発明の属する技術分野】
本発明は、ワンマンバス等に設置される料金収納装置の内部に設けられ、硬貨と印刷された紙からなる乗車券、回数券、整理券等（以下、券という）とを分離する券銭分離装置に関する。
【０００２】
【従来の技術】
この種の券銭分離装置において、券銭投入口に投入された券が、何らかの原因で一対の傾斜ローラに巻き込まれることなく、硬貨といっしょに硬貨計数部側に導かれてしまい、硬貨と分離できない場合がある。この場合には、後続して投入される硬貨や券の流れが阻害されるばかりか、券詰まりによるエラーを起こすことにより機械が停止したり、券が硬貨計数部側に進入することにより、硬貨の計数や選別に悪影響を及ぼすことになる。このため従来は、一対の傾斜ローラを互いに接離自在となるようにして、券が傾斜ローラ上で滞留したら、これら傾斜ローラを互いに離間させることにより、滞留した券を落下させるようにしていた。また、傾斜ローラの上方に、硬貨の滑落方向と反対方向に回転する券戻しローラを設け、この券戻しローラによって滞留した券が硬貨といっしょに誤って硬貨計数部側に導かれるのを規制していた。
【０００３】
図４ないし図７は従来の券銭分離装置を示したもので、図４は図６におけるIV-IV 線断面図、図５は平面図、図６は側面図、図７は図４におけるVII 矢視図である。
図４および図５において、全体を符号１で示す券銭分離装置には、図示を省略した料金収納装置内に立設された固定フレーム２と、この固定フレーム２に対向し図中矢印Ａ方向、すなわち固定フレーム２と対向した状態を保ったまま固定フレーム２から離間する方向に移動自在に支持された可動フレーム３とが備えられている。
【０００４】
図５および図６に示すように、固定フレーム２と可動フレーム３の前端部と後部には、互いに連設するように前板４，６と後板５，７とが、それぞれ水平面に対して傾斜するように固定されている。このうち、固定フレーム２の前板４と後板５との間には、図４中右下がりに傾斜した傾斜ローラ９が回転自在に支持されている。また、可動フレーム３の前板６と後板７との間には、図７に示すように、傾斜ローラ９にわずかな間隔δだけ隔てた隙間８を有して対向し、傾斜ローラ９と同じ角度に傾斜した傾斜ローラ１０が回転自在に支持されている。ここで、隙間８の間隔δは、後述する券２４の厚みよりもわずかに小さく形成されている。
【０００５】
固定フレーム２の前板４の裏面にはモータ１１が固定され、このモータ１１のモータ軸（図示せず）の前板４の表面側に突出した部位にはギア１２が軸着され、このギア１２には傾斜ローラ９の端軸に軸着されたギア１３が噛合している。このギア１３には、傾斜ローラ１０の端軸に軸着されたギア１４が噛合しており、モータ１１を駆動することによって、図７に示すように、一方の傾斜ローラ９は図中反時計方向に回転し、他方の傾斜ローラ１０は時計方向に回転する。ギア１３には伝達軸１５ａに軸着されたギア１５が噛合しており、この伝達軸１５ａの回転は図示を省略したギア群を介して後述する券戻しローラ３５に伝達され、券戻しローラ３５が図４中時計方向、すなわち、硬貨が傾斜ローラ９，１０上を滑落する方向と反対方向に回転するように構成されている。
【０００６】
図５において、１６，１７は対向するように立設されたガイド板であって、ガイド板１６は固定フレーム２の前板４に固定され、ガイド板１７は可動フレーム３の前板６に固定されており、図７に示すように、一対の傾斜ローラ９，１０の上方に近接して位置付けられている。これらガイド板１６，１７には、スリーブ１９，１９を介してプリント配線板１８，１８が固定され、これら一対のプリント配線板１８，１８には、互いに対向するように、複数対の発光、受光素子２０，２１が設けられている。
【０００７】
これら発光、受光素子２０，２１は、図４に示すように、ガイド板１６，１７（ガイド板１７と受光素子２１は図示せず）の全面にわたって設けられ、後述する券２４がこれらガイド板１６，１７間に滞留するとこれを検出する。２２，２２は押えプレート２２ａ，２２ａを介してガイド板１６，１７にそれぞれ固定された可撓性を有するシートであって、下端が一対の傾斜ローラ９，１０に添接されて、ガイド板１６，１７と傾斜ローラ９，１０との間に設けた隙間に券２４が進入するのを規制している。
【０００８】
図４および図６において、２３は略角筒状に形成された券銭投入口部材であって、下端がガイド板１６，１７に連設するように、傾斜ローラ９，１０の上方に設けられている。この券銭投入口部材２３から投入された券２４と硬貨（図示せず）は、ガイド板１６，１７間に案内されて一対の傾斜ローラ９，１０に落下し、券２４は傾斜ローラ９，１０の回転に巻き込まれて下方に設けられた券収納部２５に落下する。一方、硬貨は、一対の傾斜ローラ９，１０の傾斜に沿って、これら傾斜ローラ９，１０上を図４中右方に滑落または転動し、硬貨を選別および計数する硬貨計数部２６に落下する。
【０００９】
図５において、３０は固定フレーム２の裏面に固定されたモータであって、このモータ３０の駆動は、ベルト３１を介して固定フレーム２と可動フレーム３とに横架された駆動軸３２に回転伝達されている。この駆動軸３２の図中下部側にはねじ部３２ａが設けられ、このねじ部３２ａに螺合する移動子３３が可動フレーム３とガイド板１７に挟まれ回転が規制されるようにして固定されている。したがって、モータ３０が正、逆方向に駆動されると、駆動軸３２が正、逆方向に回転し、移動子３３が図中矢印Ａ−Ｂ方向に移動するので、可動フレーム３も図中矢印Ａ−Ｂ方向に移動し、傾斜ローラ９，１０間が接離自在となっている。
【００１０】
３６は券戻しローラであって、固定フレーム２の裏面に回転自在に支持されており、この券戻しローラ３６は傾斜ローラ９，１０の終端側（図中右端側）の上方に設けられ、平面視において軸線方向が傾斜ローラ９，１０の軸線方向と直交するように位置付けられている。また、傾斜ローラ９，１０と券戻しローラ３６との間には間隔Ｄが形成されており、この間隔Ｄは、傾斜ローラ９，１０上を径方向に転動する正規硬貨の径よりもわずかに大きく形成されている。
【００１１】
次に、このような構成の券銭分離装置１において、券２４と硬貨の分離動作を説明する。
あらかじめ、図７に示すように、一対の傾斜ローラ９，１０は互いにわずかな隙間δを有して対向させるとともに、モータ１１を駆動し、傾斜ローラ９を反時計方向に回転させ、傾斜ローラ１０を時計方向に回転させ、図４に示すように、券戻しローラ３６は時計方向に回転させている。
【００１２】
このような状態において、図４に示すように、券銭投入口部材２３から券２４と硬貨（図示せず）が投入されると、券２４と硬貨は一対のガイド板１６，１７に案内され、一対の傾斜ローラ９，１０上に落下する。券２４の下端が傾斜ローラ９，１０の周面に当接すると、傾斜ローラ９，１０が券２４を巻き込む方向に回転しているので、券２４は隙間８から券収納部２５に落下し、硬貨は傾斜ローラ９，１０上を滑落または転動して硬貨計数部２６に落下する。何らかの原因で、券２４が隙間８から券収納部２５に落下しないで、傾斜ローラ９，１０上を矢印Ｃ方向へ滑落した場合には、上端が券戻しローラ３６に当接することにより、この券戻しローラ３６によって滑落が規制される。同時に、発光、受光素子２０，２１によって滞留した券２４を検出することにより、モータ３０が駆動され、可動フレーム３を図６中矢印Ａ方向に移動させるので、図７において一方の傾斜ローラ１０が他方の傾斜ローラ９から離間し、滞留した券２４は券収納部２５に落下する。
【００１３】
【発明が解決しようとする課題】
上述した従来の券銭分離装置においては、券戻しローラ３６によって傾斜ローラ９，１０上を転動する硬貨を戻すことがないようにするために、券戻しローラ３６と傾斜ローラ９，１０間の間隔Ｄを正規硬貨の径よりも小さくすることができなかった。このため、券戻しローラ３６を傾斜ローラ９，１０に近接させることができないので、図６に示すように、断面がＵ字状に折れ曲がった高さの低い券２４は、券戻しローラ３６に当接することなく、誤って硬貨計数部２６内に落下するという問題があった。
【００１４】
本発明は上記した従来の問題に鑑みなされたものであり、その目的とするところは、券と硬貨を確実に分離する券銭分離装置を提供することにある。
【００１５】
【課題を解決するための手段】
この目的を達成するために、請求項１に係る発明は、券銭投入口から投入された券と硬貨とを分離する券銭分離装置であって、共に同じ角度だけ傾斜しわずかな間隔だけ隔てて対向し硬貨を傾斜に沿って案内し、かつ互いに協働して券を巻き込む方向に回転する一対の傾斜ローラを備え、これら一対の傾斜ローラ間を接離自在とし、前記傾斜ローラから正規硬貨の径よりもわずかに大きい間隔だけ離間して傾斜ローラの上方に、周方向の複数箇所に券戻し子が植え付けられ傾斜ローラ上の硬貨の滑落方向と反対方向に回転するブラシローラを設けたものである。
したがって、券戻し子は硬貨の滑落を阻害することなく、券の滑落を規制する。
【００１６】
また、請求項２に係る発明は、請求項１に係る発明において、前記券戻し子の位置を、前記傾斜ローラが対向した位置からずらして位置付けたものである。
したがって、券戻し子が硬貨が転動する軌跡から外れた位置に位置付けられる。
【００１７】
また、請求項３に係る発明は、請求項１に係る発明において、前記券戻し子の長さを、前記傾斜ローラの周面までの距離よりも長く形成し、かつ一対の傾斜ローラの対向部位までの長さよりも短く形成したものである。
したがって、券が券戻し子に確実に当接し、かつ券戻し子が一対の傾斜ローラによって巻き込まれるようなことがない。
【００１８】
【発明の実施の形態】
以下、本発明の実施の形態を図を用いて説明する。図１は本発明に係る券銭分離装置の正面図、図２は同じく要部の詳細図であって、同図（ａ）はブラシローラの正面図、同図（ｂ）は戻し子の長さを説明するための側面図である。図３は同じく動作を説明するための図１におけるIII 矢視図である。これらの図において上述した図４ないし図７に示す従来技術において説明した同一または同等の部材については、同一の符号を付し詳細な説明は適宜省略する。
【００１９】
本発明の特徴とするところは、券戻しローラ３６の周面に円周方向に間隔を隔てて弾性材によって細長く形成した５本の戻し子３７を植設し、券戻しローラ３６をブラシローラ（以下、符号３６で示す部材をブラシローラという）とした点にある。これら５本の戻し子３７はすべて同じ長さＬに形成され、図２（ｂ）に示すように、ブラシローラ３６の周面から傾斜ローラ９，１０の周面までの距離Ｌ１よりも長く形成され、かつブラシローラ３６の周面から一対の傾斜ローラ９，１０の対向部位までの長さＬ２よりも短く形成されている。
【００２０】
また、同図（ｂ）に示すように、戻し子３７の位置は、一対の傾斜ローラ９，１０の対向する位置３９から距離αだけ可動フレーム２側にずらして位置付けられ、隣接する戻し子３７間も距離β、γだけずらして位置付けられている。
【００２１】
次に、このように構成された券銭分離装置における券と硬貨を分離する分離動作を図３を用いて説明する。
同図（ａ）示すように、断面がＵ字状に折り曲げられた券２４が一対のガイド板１６，１７間に投入されると、券２４の両端部が一対のガイド板１６，１７に挟持されるように保持される。したがって、一対の傾斜ローラ９，１０の回転にもかかわらず、券２４が傾斜ローラ９，１０間に巻き込まれることなく、傾斜ローラ９，１０上に滞留する。券２４が滞留したことを発光、受光素子２０，２１が検出すると、モータ３０が正方向に駆動し、同図（ｂ）に示すように、可動フレーム３が図中矢印Ａ方向に移動するので、一方の傾斜ローラ１０が他方の傾斜ローラ９から離間する。離間した一方の傾斜ローラ１０は、図５においてギア１４とギア１３の噛合が解除されるので回転が停止する。
【００２２】
断面がＵ字状に折り曲げられた券２４は、傾斜ローラ１０の移動にともない、伸展され略平坦状になり、券２４の両端部が傾斜ローラ９，１０上に支承された状態となるので、一方の傾斜ローラ１０が他方の傾斜ローラ９から離間しても、券２４は券収納部２５に落下しない。次に、モータ３０を逆方向に駆動することにより、同図（ｃ）に示すように、可動フレーム３が矢印Ｂ方向に移動し、一方の傾斜ローラ１０が他方の傾斜ローラ９に近接する。このとき、図示を省略しているが、券２４が同図（ｃ）とは逆の状態、すなわち、券２４の左端が上昇し、右端が下降して、この右端が回転する傾斜ローラ９に当接した場合には、傾斜ローラ９の回転によって券２４は券収納部２５に落下する。
【００２３】
一方、同図（ｃ）に示すように、券２４の左端が傾斜ローラ１０の周面とガイド板１７の下端との協動によって矢印Ｂ方向に押圧され、券２４の右端がガイド板１６に沿って摺接しながら上昇すると、券２４の右端が回転する傾斜ローラ９の周面から離間する。したがって、この状態では券２４が傾斜ローラ９の回転によって、傾斜ローラ９，１０との間から券収納部２５に落下することがない。しかしながら、券２４の右端にブラシローラ３６の戻し子３７が当接するので、回転するブラシローラ３６の戻し子３７によって券２４が振り払われる。このため、券２４の左端が傾斜ローラ１０の周面とガイド板１７の下端とから離間し、券２４が傾斜ローラ９，１０間に位置付けられることにより、券２４は券収納部２５に落下する。
【００２４】
このとき、戻し子３７がブラシローラ３６の周面に植え付けられ、先端が傾斜ローラ９，１０に接触した状態になっていることにより、ブラシローラ３６の回転にともなって戻し子３７が滞留した券２４に確実に当接する。したがって、券２４は回転する戻し子３７によって傾斜ローラ９，１０上を滑落するのを規制されるとともに、確実に券収納部２５に落下する。しかも、戻し子３７がブラシローラ３６の周面に間隔を隔てるように周方向の複数箇所に植設され、戻し子３７が弾性材によって形成されていることにより、傾斜ローラ９，１０上を滑落する硬貨の滑落を阻害することがない。
【００２５】
また、戻し子３７の位置が一対の傾斜ローラ９，１０の対向する位置３９から距離αだけ固定フレーム２側にずらして位置付けらていることにより、一対の傾斜ローラ９，１０の対向する部位を転動する硬貨が戻し子３７に当接することがないから、硬貨の転動を阻害するようなことがない。また、隣接する戻し子３７間も距離β、γだけずらして位置付けられていることにより、５本の戻し子３７の回転軌跡がそれぞれ異なるので、券２４が５本の戻し子３７に確実に当接する。
【００２６】
ブラシローラ３６の周面に戻し子３７を５本設けたが、本数は限定されるものでなく、要は、硬貨の滑落を阻害することなく、券２４の滑落を規制するようにすればよい。
【００２７】
【発明の効果】
以上説明したように、請求項１に係る発明によれば、券戻し子は硬貨の滑落を阻害することなく、券の滑落を規制するので、券と硬貨とが確実に分離される。
【００２８】
また、請求項２に係る発明よれば、券戻し子が硬貨が転動する軌道から外れた位置に位置付けられるので、硬貨の転動を阻害するようなことがない。
【００２９】
また、請求項３に係る発明よれば、券が券戻し子に当接しないというようなことがないので、券の滑落を確実に規制できる。
【図面の簡単な説明】
【図１】  本発明に係る券銭分離装置の正面図である。
【図２】  本発明に係る券銭分離装置における要部の詳細図であって、同図（ａ）はブラシローラの正面図、同図（ｂ）は戻し子の長さを説明するための側面図である。
【図３】  本発明に係る券銭分離装置の動作を説明するための図１におけるIII 矢視図であって、同図（ａ）は一対の傾斜ローラ間が閉じた状態を示し、同図（ｂ）は一対の傾斜ローラが開いた状態を示し、同図（ｃ）は一対の傾斜ローラが閉じ始めた状態を示す。
【図４】  図６におけるIV-IV 線断面図である。
【図５】  従来の券銭分離装置の平面図である。
【図６】  従来の券銭分離装置の側面図である。
【図７】  図４におけるVII 矢視図である。
【符号の説明】
１…券銭分離装置、２…固定フレーム、３…可動フレーム、９，１０…傾斜ローラ、１６，１７…ガイド板、２３…券銭投入口部材、２４…券、２５…券収納部、２６…硬貨計数部、３６…ブラシローラ（券戻しローラ）、３７…戻し子。
【図１】
0003664064.tif 000002
【図２】
0003664064.tif 000003
【図３】
0003664064.tif 000004
【図４】
0003664064.tif 000005
【図５】
0003664064.tif 000006
【図６】
0003664064.tif 000007
【図７】
0003664064.tif 000008